(57)【要約】【課題】  壁パネルを取付けるための取付ねじが、少なくなるようにすることである。【解決手段】  天井壁パネルＰを構成する天井板６の周縁部に、第１ないし第３のいずれかの固定枠Ｆa,Ｆb,Ｆc を取付け、野縁５に固定された天井壁パネルＰの２辺部に取付けられた各第１固定枠Ｆａを、隣接する天井壁パネルＰをスライド挿入させるための隣接予定辺部とし、前記各第１固定枠Ｆａに設けられた支持空間部Ｖに、隣接する天井壁パネルＰの第２固定枠Ｆｂに設けられた被支持板部２３及び係止片部２４をスライド挿入させ、前記第１固定枠Ｆａの支持板部１１に載置させて支持すると共に、各天井壁パネルＰの天井板６において、天井壁部Ｒの周縁部に臨む部分に、第３固定枠Ｆｃを取付ける。【選択図】        図３
2005256397.tif 000002
【特許請求の範囲】
【請求項１】
建物の壁部に縦横配置して取付けられる壁パネルであって、
平板状の壁面板と、前記壁面板の形状に対応した枠状をなしていて、その下端面に前記壁面板が一体に取付けられた固定枠とから成り、
前記固定枠は、前記壁パネルの隣接部において、壁下地材に固定された一方側の固定枠の支持部に、他方側の固定枠の被支持部がスライド挿入して支持される構成であることを特徴とする壁パネル。
【請求項２】
前記他方側の壁パネルの被支持部が、前記一方側の壁パネルの支持部に支持された状態で、他方側の壁パネルの被支持部は、一方側の壁パネルを壁下地材に固定する固定具の対向部分に配置されることを特徴とする請求項１に記載の壁パネル。
【請求項３】
前記固定枠は、前記壁面板に固着されたねじ棒に挿通され、ナット部材で締め込まれて取付けられることを特徴とする請求項１又は２に記載の壁パネル。
【請求項４】
前記壁面板は、一辺部のみにおいて固定枠と相互に回動可能にヒンジ連結されていて、前記一辺部を除く少なくとも一辺部には、固定枠と分離可能に連結して、壁面板を開口可能に取付けるための連結手段が設けられていることを特徴とする請求項１ないし３のいずれかに記載の壁パネル。
【請求項５】
前記固定枠において、壁部と対向する部分には、スライド防止部材が取付けられていることを特徴とする請求項１ないし３のいずれかに記載の壁パネル。
【請求項６】
前記壁面板は、固定枠の取付位置よりも外方に延設されていることを特徴とする請求項１ないし３のいずれかに記載の壁パネル。
【請求項７】
建物の壁部に設けられた壁下地材に、多数枚の壁パネルを、前記壁部の縦横いずれかの一方向に沿って順次取付ける方法であって、
前記壁パネルは、平板状の壁面板と、自身の下端面に前記壁面板が一体に取付けられた固定枠とから成り、前記固定枠は、前記壁パネルの隣接部において、壁下地材に固定された一方側の固定枠の支持部に、他方側の固定枠の被支持部がスライド挿入して支持される構成であり、
最初の壁パネルを、その少なくとも２辺の隣接予定辺部において、前記固定枠を介して前記壁下地材に固定して取付ける第１施工工程と、
最初と最後を除く中間の壁パネルを、その１又は複数の隣接予定辺部において、取付け済みの壁パネルを固定している固定枠の支持部に、自身の被支持部をスライド挿入させると共に、残りの隣接予定辺部において固定枠を介して壁下地材に固定して取付ける第２施工工程と、
最後の壁パネルを、その少なくとも２辺の隣接予定辺部において、取付け済みの壁パネルを固定している固定枠の支持部に、自身の被支持部をスライド挿入により支持させて取付ける第３施工工程と、
から成ることを特徴とする壁パネルの取付方法。
【発明の詳細な説明】
【技術分野】
【０００１】
本発明は、建物の壁部に取付けられる壁パネルに関するものである。なお、本明細書では、建物の天井壁部に取付けられる天井壁パネルについて説明する。
【背景技術】
【０００２】
図１８に示されるように、建物の天井壁部Ｒには、天井下地材が取付けられている。即ち、直上の階を形成する床スラブ１の底面部から垂下された吊りボルト２及び吊り部材３に野縁受け４が取付けられていて、該野縁受け４に、多数本の野縁５が縦横に固着されている。前記野縁５に、多数枚の天井壁パネルＰ'(天井板６）が取付けられることにより、天井壁部Ｒが形成される。従来の天井壁パネルＰ’には、例えば、特許文献１に開示される技術が存している。
【０００３】
ここで、各天井板６は、取付ねじ７によって対応する野縁５等に取付けられている。通常の建物の天井壁部Ｒには、多数枚の天井板６が取付けられるため、多数本の取付ねじ７を締め込まなければならず、作業が大変であると共に、多くの工数が必要である。特に、締込み作業は、高所で、しかも、作業者が天井を向いた不自然な姿勢で行わなければならないため、早急な改善が要求されている。更に、前記多数本の取付ねじ７が露出するため、見栄えが悪く、各取付ねじ７を隠す為の目地棒が必要であるという不具合も存している。
【特許文献１】特開２００３−１６０９９６号公報
【発明の開示】
【発明が解決しようとする課題】
【０００４】
本発明は、上記した不具合に鑑み、壁パネルの取付けが簡単にできるようにすることを課題としている。
【課題を解決するための手段】
【０００５】
上記課題を解決するための請求項１の発明は、建物の壁部に縦横配置して取付けられる壁パネルであって、平板状の壁面板と、前記壁面板の形状に対応した枠状をなしていて、その下端面に前記壁面板が一体に取付けられた固定枠とから成り、前記固定枠は、前記壁パネルの隣接部において、壁下地材に固定された一方側の固定枠の支持部に、他方側の固定枠の被支持部がスライド挿入して支持される構成であることを特徴としている。
【０００６】
本発明に係る壁パネルが壁部に取付けられるとき、当該壁パネルの固定枠は、予め、壁下地材に取付けられた壁パネルに隣接して配置され、取付け済みの壁パネルの固定枠の支持部に、他方側の壁パネルの固定枠の被支持部がスライド挿入される。これにより、スライド挿入される側の壁パネルの固定枠は、壁下地材にねじ止めされることなく支持される。この結果、スライド挿入される側の壁パネルの固定枠をねじ止めする作業が不要となり、作業工数の短縮が図られる。更に、各固定枠により、壁下地材と壁面板との間に空間部が形成され、壁部に立体感（奥行き感）が感じられるという効果が奏される。
【０００７】
請求項２の発明は、請求項１の発明を前提として、前記他方側の壁パネルの被支持部が、前記一方側の壁パネルの支持部に支持された状態で、他方側の壁パネルの被支持部は、一方側の壁パネルを壁下地材に固定する固定具の対向部分に配置されることを特徴としている。この発明では、壁パネルが取付けられた状態で、一方側の固定枠を壁下地材に取付けるための固定具の対向部分に、他方側の固定枠の被支持部が配置されるため、前記固定具が露出しなくなり、美観が向上する。
【０００８】
請求項３の発明は、請求項１又は２の発明を前提として、前記固定枠は、前記壁面板に固着されたねじ棒に挿通され、ナット部材で締め込まれて取付けられることを特徴としている。この発明では、各固定枠を取付けるためのねじ棒は、壁面板に固着されていて、壁面板の反対側の部分にはねじ類が露出しないため、壁パネルの美観が良好である。
【０００９】
請求項４の発明は、請求項１ないし３のいずれかの発明を前提として、前記壁面板は、一辺部のみにおいて固定枠と相互に回動可能にヒンジ連結されていて、前記一辺部を除く少なくとも一辺部には、固定枠と分離可能に連結して、壁面板を開口可能に取付けるための連結手段が設けられていることを特徴としている。この発明では、連結手段を操作することにより、任意の位置に取付けられた壁パネルの壁面板を開口することができ、壁部の点検等ができる。
【００１０】
請求項５の発明は、請求項１ないし３のいずれかの発明を前提として、前記固定枠において、壁部と対向する部分には、スライド防止部材が取付けられていることを特徴としている。この発明では、隣接する固定枠の支持部にスライド挿入されて支持された固定枠の被支持部が、スライド防止部材によって逆方向にスライドすることが抑止される。
【００１１】
請求項６の発明は、請求項１ないし３のいずれかの発明を前提として、前記壁面板は、固定枠の取付位置よりも外方に延設されていることを特徴としている。この発明では、壁面板の延設部分に、壁部の美観を損ねることなく照明器具等を取付けることができる。
【００１２】
請求項７の発明は、建物の壁部に設けられた壁下地材に、多数枚の壁パネルを、前記壁部の縦横いずれかの一方向に沿って順次取付ける方法であって、前記壁パネルは、平板状の壁面板と、自身の下端面に前記壁面板が一体に取付けられた固定枠とから成り、前記固定枠は、前記壁パネルの隣接部において、壁下地材に固定された一方側の固定枠の支持部に、他方側の固定枠の被支持部がスライド挿入して支持される構成であり、最初の壁パネルを、その少なくとも２辺の隣接予定辺部において、前記固定枠を介して前記壁下地材に固定して取付ける第１施工工程と、最初と最後を除く中間の壁パネルを、その１又は複数の隣接予定辺部において、取付け済みの壁パネルを固定している固定枠の支持部に、自身の被支持部をスライド挿入させると共に、残りの隣接予定辺部において固定枠を介して壁下地材に固定して取付ける第２施工工程と、最後の壁パネルを、その少なくとも２辺の隣接予定辺部において、取付け済みの壁パネルを固定している固定枠の支持部に、自身の被支持部をスライド挿入により支持させて取付ける第３施工工程とから成ることを特徴としている。
【００１３】
この発明では、支持部を備えた固定枠によって、取付けるためのみに壁面板の形状を変更させることなく、最後の壁面板を含む全ての壁面板を、壁部に支障なく取付けられる。また、最後の壁パネルは、その少なくとも２辺の隣接予定辺部において、隣接する取付け済みの壁パネルを固定している各固定枠の支持部に、自身の被支持部をスライド挿入させるのみで、壁下地材に直接に固定することなく取付け可能となる。
【発明の効果】
【００１４】
請求項１の発明は、建物の壁部に縦横配置して取付けられる壁パネルであって、平板状の壁面板と、前記壁面板の形状に対応した枠状をなしていて、その下端面に前記壁面板が一体に取付けられた固定枠とから成り、前記固定枠は、前記壁パネルの隣接部において、壁下地材に固定された一方側の固定枠の支持部に、他方側の固定枠の被支持部がスライド挿入して支持される構成であることを特徴としている。このため、スライド挿入される側の壁パネルの固定枠は、壁下地材にねじ止めされることなく支持される。この結果、前記固定枠をねじ止めする作業が不要となり、作業工数の短縮が図られる。
【００１５】
請求項７の発明は、建物の壁部に設けられた壁下地材に、多数枚の壁パネルを、前記壁部の縦横いずれかの一方向に沿って順次取付ける方法であって、前記壁パネルは、平板状の壁面板と、自身の下端面に前記壁面板が一体に取付けられた固定枠とから成り、前記固定枠は、前記壁パネルの隣接部において、壁下地材に固定された一方側の固定枠の支持部に、他方側の固定枠の被支持部がスライド挿入して支持される構成であり、最初の壁パネルを、その少なくとも２辺の隣接予定辺部において、前記固定枠を介して前記壁下地材に固定して取付ける第１施工工程と、最初と最後を除く中間の壁パネルを、その１又は複数の隣接予定辺部において、取付け済みの壁パネルを固定している固定枠の支持部に、自身の被支持部をスライド挿入させると共に、残りの隣接予定辺部において固定枠を介して壁下地材に固定して取付ける第２施工工程と、最後の壁パネルを、その少なくとも２辺の隣接予定辺部において、取付け済みの壁パネルを固定している固定枠の支持部に、自身の被支持部をスライド挿入により支持させて取付ける第３施工工程とから成ることを特徴としている。このため、取付けるためのみに壁面板の形状を変更させることなく、最後の壁面板を含む全ての壁面板を、壁部に支障なく取付けられる。また、最後の壁パネルは、取付け済みの壁パネルを固定している各固定枠の支持部に、自身の被支持部をスライド挿入させるのみで、壁下地材に直接に固定することなく取付けることができる。
【発明を実施するための最良の形態】
【００１６】
以下、本発明の最良実施例を挙げて、本発明を更に詳細に説明する。図１は本発明に係る各天井壁パネルＰ1 〜Ｐ9 が取付けられた天井壁部Ｒの平面図、図２は図１のＸ−Ｘ線断面図、図３は天井壁パネルＰ1,Ｐ2 における隣接部の拡大図、図４は天井壁パネルＰ1 の斜視図、図５は同じく平面図、図６は天井板６と第１及び第３の各固定枠Ｆa,Ｆc とを分離させた状態の斜視図、図７は天井壁パネルＰ2 の斜視図、図８は天井壁パネルＰ3 の斜視図、図９の（イ）〜（ハ）は、天井壁パネルＰ4 〜Ｐ6 の斜視図、図１０の（イ）〜（ハ）は、天井壁パネルＰ7 〜Ｐ9 の斜視図である。
【実施例１】
【００１７】
本明細書では、壁Ｗによって囲まれ、平面視において長方形状の天井壁部Ｒに、１６枚の天井壁パネルＰを、一方向（本実施例の場合、横方向）に沿って、順次取付ける場合について説明する。図１に示されるように、図面視における壁Ｗの左下のコーナー部（以下、この部分を「原点部」と記載する）に、最初の天井壁パネルＰ1 が取付けられ、該天井壁パネルＰ1 に対して横方向に隣接して２枚の天井壁パネルＰ2 が並列に取付けられ、後に取付けられた天井壁パネルＰ2 に対して横方向に隣接して天井壁パネルＰ3 が取付けられる。そして、前記最初の天井壁パネルＰ1 に対して縦方向に隣接して天井壁パネルＰ4 が取付けられ、前述した場合と同様に、該天井壁パネルＰ4 に対して横方向に隣接して２枚の天井壁パネルＰ5 が並列に取付けられ、後に取付けられた天井壁パネルＰ5 に対して横方向に隣接して天井壁パネルＰ6 が取付けられる。以下、同様にして、天井壁パネルＰ7,Ｐ8 が、順次取付けられ、最後に天井壁パネルＰ9 が取付けられる。ここで、図１において、同一形状の天井壁パネルＰには同一の符号を付すと共に、かっこ内に当該天井壁パネルＰが取付けられる順番を記載する。
【００１８】
図１ないし図３に示されるように、本実施例の各天井壁パネルＰは、平面視において長方形状の天井板６と、該天井板６の上面の周縁部に取付けられる各固定枠Ｆa,Ｆb,Ｆc とから構成されている。各天井壁パネルＰを構成する天井板６には、各固定枠Ｆa,Ｆb,Ｆc のうち、いずれか２種類又は全ての固定枠Ｆa,Ｆb,Ｆc が、前記天井板６の平面形状に対応して枠状となって一体に取付けられている。前記天井板６は、アルミ等の金属より成るものであるが、樹脂より成るもの、或いはそれ以外の材質から成るものであっても構わない。本実施例の場合、各天井壁パネルＰにおける天井板６の厚みと大きさは、いずれも同一である。また、前記各固定枠Ｆa,Ｆb,Ｆc は、全長に亘って一定の断面形状を有するアルミ型材である。また、各天井壁パネルＰにおける建物の壁Ｗに臨む部分には、第３固定枠Ｆｃが取付けられている。なお、図１において、符号Ａ，Ｂ，Ｃは、それぞれ第１固定枠Ｆａ、第２固定枠Ｆｂ、第３固定枠Ｆｃを示している。そして、天井壁パネルＰどうしの接続部分の構成は、横方向、縦方向のいずれも同一であり、第１固定枠Ｆａと第２固定枠Ｆｂとによって接続されている。
【００１９】
最初に、天井壁パネルＰ1 について説明する。図４ないし図６に示されるように、天井壁パネルＰ1 を構成する長方形状の天井板６における奥側（原点部から遠い側）の２辺部には、第１固定枠Ｆａが直交して取付けられていて、同じく手前側（原点部に近い側）の２辺部には、第３固定枠Ｆｃが直交して取付けられている。前記第３固定枠Ｆｃは、天井壁パネルＰ1 の取付状態において、壁Ｗに臨む部分に取付けられる（図１参照）。
【００２０】
第１固定枠Ｆａについて説明する。図３ないし図６に示されるように、第１固定枠Ｆａは、天井板６の上面における奥側の２辺部の周縁に沿って取付けられる基板部８と、該基板部８の端縁部から上方に起立状態で設けられた起立板部９と、該起立板部９の上端部から内方（天井板６の中心部に向かう方向）に直角に屈曲して形成された支持板部１１と、該支持板部１１の先端部から上方に屈曲して形成された支持空間形成板部１２と、該支持空間形成板部１２から外方に直角に屈曲して延設され、野縁５に当接される野縁当接板部１３とから構成されている。前記支持板部１１、前記支持空間形成板部１２、及び前記野縁当接板部１３により、袋状の支持空間部Ｖが形成されている。支持空間部Ｖに、後述する第２固定枠Ｆｂの係止片部２４がスライド挿入されて係止される。このため、前記支持空間部Ｖの内側高さＨ1 は、係止片部２４の高さＨ2 よりも僅かに大きい（図３参照）。
【００２１】
前記天井板６の上面の周縁部には、所定間隔をおいて複数本のねじ棒１４が突設されている。そして、前記第１固定枠Ｆａの基板部８には、各ねじ棒１４を挿通させるためのねじ挿通孔８ａが設けられている（図６参照）。第１固定枠Ｆａが天井板６に取付けられるとき、基板部８のねじ挿通孔８ａに、対応するねじ棒１４が挿通される。そして、前記ねじ棒１４の突出部分に、六角ナット１５が螺合されて締め込まれることによって両者が一体に取付けられる。前記ねじ棒１４は、天井板６の上面部に固着されている。このため、該天井板６の下面部（天井板６が視認される部分）にはいっさいのねじ類が露出せず、天井板６の美観が良好である。なお、図６において、１６は座金である。
【００２２】
また、第１固定枠Ｆａの野縁当接板部１３には、所定間隔をおいてねじ挿通孔１３ａが設けられている。天井壁パネルＰ1 は、前記野縁当接板部１３が野縁５に当接され、各ねじ挿通孔１３ａに挿通された取付ねじ７が、野縁５に締め込まれることにより、前記野縁５に固定して取付けられる。前記各ねじ挿通孔１３ａは、天井板６の端縁部よりも外方に設けられているため、各取付ねじ７を締め込む際に支障となることはない。
【００２３】
次に、第３固定枠Ｆｃについて説明する。図２、図４ないし図６に示されるように、天井壁パネルＰ1 を構成する天井板６の手前側の２辺部には、各第３固定枠Ｆｃが取付けられている。第３固定枠Ｆｃは、天井板６の上面における手前側の２辺部の周縁に沿って取付けられる基板部１７と、該基板部１７の端縁部から上方に起立状態で設けられた起立板部１８と、該起立板部１８の上端部から内方（天井板６の中心部に向かう方向）に直角に屈曲して延設され、野縁５に当接される野縁当接板部１９とから構成されている。第３固定枠Ｆｃは、第１固定枠Ｆａと同様に、基板部１７に設けられたねじ挿通孔１７ａ（図６参照）に、天井板６の上面部に突設したねじ棒１４が挿通され、該ねじ棒１４の突出部分に六角ナット１５が螺合して締め込まれることによって取付けられる。
【００２４】
次に、天井壁パネルＰ2 について説明する。天井壁パネルＰ2 は、図１、図２及び図７に示されるように、前述した天井壁パネルＰ1 に対して、横方向に隣接して取付けられるものであり、天井板６の奥側の２辺部に各第１固定枠Ｆａが取付けられていると共に、手前側の２辺部に、第２固定枠Ｆｂと第３固定枠Ｆｃが取付けられている。各第１固定枠Ｆａの構成と野縁５への取付け方法は、天井壁パネルＰ1 の場合と全く同一なので、第２固定枠Ｆｂについてのみ説明する。第２固定枠Ｆｂは、天井板６の上面における手前側の２辺部の周縁に沿って取付けられる基板部２１と、該基板部２１の端縁部から上方に起立状態で設けられた起立板部２２と、該起立板部２２の上端部から外方に直角に屈曲して延設された被支持板部２３と、該被支持板部２３の先端部から上方に屈曲した係止片部２４とから構成されている。前記係止片部２４が屈曲して設けられていることにより、前記被支持板部２３の強度が高められている。第２固定枠Ｆｂは、第１及び第３の各固定枠Ｆa,Ｆc と同様に、基板部２１に設けられたねじ挿通孔（図示せず）に、天井板６の上面部に突設したねじ棒１４が挿通され、該ねじ棒１４の突出部分に六角ナット１５が螺合して締め込まれることによって取付けられる。
【００２５】
図３に示されるように、天井壁パネルＰ2 は、自身をスライドさせて、第２固定枠Ｆｂの被支持板部２３を、隣接する天井壁パネルＰ1 の第１固定枠Ｆａの支持空間部Ｖに挿入させて取付けられる。このとき、第２固定枠Ｆｂの被支持板部２３の端縁部は、第１固定枠Ｆａの支持板部１１に載置される。これにより、第２固定枠Ｆｂが、第１固定枠Ｆａに支持される。この状態で、第３固定枠Ｆｃを構成する被支持板部２３は、第１固定枠Ｆａを野縁５に固着する各取付ねじ７の直下に配置される。このため、前記各取付ねじ７のねじ頭部は、前記被支持板部２３によって隠蔽され、露出することはない。また、第２固定枠Ｆｂの起立板部２２の高さ（基板部２１の底面部から、被支持板部２３の底面部までの高さ）は、第１固定枠Ｆａにおける起立板部９の高さ（基板部８の底面部から、支持板部１１の上面部までの高さ）と同一である。このため、取付状態における天井壁パネルＰ2 の天井板６は、隣接する天井壁パネルＰ1 の天井板６とほぼ同一高さに配置される。
【００２６】
図２に示されるように、前述した天井壁パネルＰ2[図１における天井壁パネルＰ2(２)]に隣接して、同一の天井壁パネルＰ2[図１における天井壁パネルＰ2(３)]が取付けられる。前記天井壁パネルＰ2 の取付け枚数を調整することにより、建物の天井壁部Ｒの横幅に対応することができる。
【００２７】
次に、天井壁パネルＰ3 について説明する。天井壁パネルＰ3 は、図１、図２及び図８に示されるように、前述した天井壁パネルＰ2 に対して、横方向に隣接して取付けられるものであり、天井板６の奥側の短辺部に第１固定枠Ｆａが取付けられていると共に、手前側の長辺部に、第２固定枠Ｆｂが取付けられている。また、建物の壁Ｗに臨む残りの２辺部には、各第３固定枠Ｆｃが取付けられている。天井壁パネルＰ3 は、第２固定枠Ｆｂの被支持板部２３が、横方向で隣接する天井壁パネルＰ2 の第１固定枠Ｆａの支持空間部Ｖに入り込んで支持されると共に、第１固定枠Ｆａの野縁当接板部１３が野縁５にねじ止めされることによって取付けられる。
【００２８】
上記した天井壁パネルＰ1 〜Ｐ3 以外の天井壁パネルＰ4 〜Ｐ9 に対して、各固定枠Ｆa,Ｆb,Ｆc の取付位置についてのみ説明する。図１に示されるように、天井壁パネルＰ4 は、天井壁パネルＰ1 に対して縦方向に隣接して取付けられるものである。図９の（イ）に示されるように、奥側の２辺部に、第１固定枠Ｆａが直交して取付けられていて、天井壁パネルＰ1 と隣接する部分には、天井壁パネルＰ1 の第１固定枠Ｆａにスライド挿入される第２固定枠Ｆｂが取付けられている。また、壁Ｗに臨む部分には、第３固定枠Ｆｃが取付けられている。同じく天井壁パネルＰ5 は、前記天井壁パネルＰ4 に対して横方向に隣接して取付けられるものである。図９の（ロ）に示されるように、奥側の２辺部に、第１固定枠Ｆａが直交して取付けられていて、手前側の２辺部には、各天井壁パネルＰ2,Ｐ4 の第１固定枠Ｆａにスライド挿入される第２固定枠Ｆｂが取付けられている。同じく天井壁パネルＰ6 は、前記天井壁パネルＰ5 に対して横方向に隣接して取付けられるものである。図９の（ハ）に示されるように、奥側の短辺部に第１固定枠Ｆａが取付けられていると共に、同じく長辺部（壁Ｗに臨む部分）に第３固定枠Ｆｃが取付けられている。また、手前側の２辺部には、各天井壁パネルＰ3,Ｐ5 の第１固定枠Ｆａにスライド挿入される第２固定枠Ｆｂが取付けられている。
【００２９】
次に、天井壁パネルＰ7 〜Ｐ9 について説明する。図１に示されるように、天井壁パネルＰ7 は、図面視における左上のコーナー部に、前述した天井壁パネルＰ4 に対して縦方向に隣接して取付けられるものである。図１０の（イ）に示されるように、手前側の短辺部には、天井壁パネルＰ4 の第１固定枠Ｆａにスライド挿入される第２固定枠Ｆｂが取付けられていると共に、奥側の長辺部には、第１固定枠Ｆａが取付けられている。また、残りの２辺部（手前側の長辺部と奥側の短辺部）は、壁Ｗに臨む部分であり、各第３固定枠Ｆｃが取付けられている。同じく天井壁パネルＰ8 は、前記天井壁パネルＰ7 に対して横方向に隣接して取付けられるものである。図１０の（ロ）に示されるように、奥側の長辺部に、第１固定枠Ｆａが取付けられていると共に、短辺部に第３固定枠Ｆｃが取付けられている。また、手前側の２辺部には、隣接する天井壁パネルＰ5,Ｐ7 の各第１固定枠Ｆａにスライド挿入される第２固定枠Ｆｂが取付けられている。
【００３０】
同じく天井壁パネルＰ9 は、天井壁部Ｒに最後に取付けられるもので、前述した天井壁パネルＰ6 に対して縦方向に隣接すると共に、天井壁パネルＰ8 に対して横方向に隣接するものである。図１０の（ハ）に示されるように、手前側の２辺部に第２固定枠Ｆｂが取付けられていると共に、奥側の２辺部（壁Ｗに臨む部分）に第３固定枠Ｆｃが取付けられている。天井壁パネルＰ9 は、手前側の２辺部が、隣接する各天井壁パネルＰ6,Ｐ8 の第１固定枠Ｆａの支持板部１１に載置されて支持され、奥側の２辺部は、野縁５の底面部にほぼ当接するのみである。このため、本実施例の天井壁パネルＰ9 における各第３固定枠Ｆｃの部分には、各第３固定枠Ｆｃの長手方向に沿って、上部が円弧状に屈曲された板ばね２０が取付けられている。天井壁パネルＰ9 が取付けられるために、該天井壁パネルＰ9 が各天井壁パネルＰ6,Ｐ8 と隣接して配置されるとき、前記板ばね２０の屈曲部２０ａは、壁Ｗに押し付けられて弾性変形する（図１４参照）。前記天井壁パネルＰ9 の被支持板部２３が、隣接する各天井壁パネルＰ6,Ｐ8 の支持板部１１にスライド挿入されると、板ばね２０の屈曲部２０ａは元の形状に復元される（図２参照）。これにより、天井壁パネルＰ9 が、スライド挿入される方向と逆方向にスライドしようとしても、第３固定枠Ｆｃと壁Ｗとの間に板ばね２０の屈曲部２０ａが介装されているため、前記天井壁パネルＰ9 のスライド防止が図られる。
【００３１】
本発明に係る天井壁パネルＰを、建物の天井壁部Ｒに取付けるときの作用について説明する。図１に示されるように、本実施例の建物の天井壁部Ｒの場合、最初に、図面視における左下のコーナー部（原点部）に天井壁パネルＰ1 が取付けられる。即ち、図１１に示されるように、天井壁パネルＰ1 における奥側の２辺部に取付けられた各第１固定枠Ｆａの野縁当接板部１３が、野縁５の底面部に当接され、各取付ねじ７によって野縁５にねじ止めされる（第１施工工程）。この状態で、天井壁パネルＰ1 の手前側の２辺部に取付けられた各第３固定枠Ｆｃの野縁当接板部１９は、対応する野縁５の底面部にほぼ当接する。また、天井壁パネルＰ1 において、野縁５に固定される各第１固定枠Ｆａが取付けられた奥側の２辺部は、横方向に隣接して取付けられる天井壁パネルＰ2 と、縦方向に隣接して取付けられる天井壁パネルＰ4 の各第２固定枠Ｆｂをスライド挿入させるための隣接予定辺部となっている。
【００３２】
次に、天井壁パネルＰ2 が持ち上げられ、図１１及び図１２に示されるように、天井壁パネルＰ1 に対して、横方向に隣接して配置される。天井壁パネルＰ2 の第２固定枠Ｆｂの係止片部２４は、天井壁パネルＰ1 の第１固定枠Ｆａを野縁５にねじ止めしている各取付ねじ７のねじ頭部と、前記第１固定枠Ｆａの起立板部９との間に配置される。これにより、前記係止片部２４と各取付ねじ７のねじ頭部とが干渉するおそれはない。また、天井壁パネルＰ2 の各第１固定枠Ｆａは、対応する野縁５の直下に配置される。
【００３３】
前記天井壁パネルＰ2 が、天井壁パネルＰ1 の側に向かってスライドされる。図１３に示されるように、天井壁パネルＰ2 の第２固定枠Ｆｂの被支持板部２３と係止片部２４が、取付け済みの天井壁パネルＰ1 の第１固定枠Ｆａ（隣接予定辺部）の支持空間部Ｖにスライド挿入され、前記被支持板部２３は、第１固定枠Ｆａの支持板部１１に載置される。そして、天井壁パネルＰ2 の各第１固定枠Ｆａの野縁当接板部１３が、各取付ねじ７によって野縁５にねじ止めされる（第２施工工程）。野縁５にねじ止めされた各第１固定枠Ｆａは、前述した天井壁パネルＰ1 と同様に、２枚目の天井壁パネルＰ2 と天井壁パネルＰ5 の各第２固定枠Ｆｂをスライド挿入させるための隣接予定辺部となっている。
【００３４】
上記したように、前記天井壁パネルＰ2 は、一方側（天井壁パネルＰ1 に隣接する側）の端縁部に取付けられた第２固定枠Ｆｂの被支持板部２３が、天井壁パネルＰ1 の第１固定枠Ｆａの支持板部１１に支持されると共に、他方側の端縁部に取付けられた第１固定枠Ｆａの野縁当接板部１３が、対応する野縁５にねじ止めされることによって固定配置される。このため、天井壁パネルＰ2 において、天井壁パネルＰ1 との隣接部では、取付ねじ７を締め込む作業が不要となり、天井壁パネルＰ2 を取付けるための工数が少なくなる。また、天井壁パネルＰ1 の第１固定枠Ｆａを固定する各取付ねじ７の直下に、天井壁パネルＰ2 の第２固定枠Ｆｂの被支持板部２３が配置されるため、前記各取付ねじ７のねじ頭部が露出することが防止される。更に、天井壁パネルＰ2 の取付状態で、天井壁パネルＰ1 の天井板６と天井壁パネルＰ2 の天井板６とは、所定の目地幅Ｌをおいて、ほぼ同一高さに配置される。そして、各天井壁パネルＰ1,Ｐ2 の天井板６どうしの間には、野縁５に対して第１固定枠Ｆａの高さ分だけの空間部が形成されるため、天井壁部Ｒに立体感（奥行き感）が感じられるという効果が奏される。
【００３５】
全く同様にして、１枚目の天井壁パネルＰ2[図１における天井壁パネルＰ2(２)]に対して、横方向に隣接して２枚目の天井壁パネルＰ2[図１における天井壁パネルＰ2(３)]が取付けられる（図１参照）。更に、図１４に示されるように、２枚目の天井壁パネルＰ2 に対して横方向に隣接する天井壁パネルＰ3 が、スライド挿入されて取付けられる。天井壁パネルＰ3 の他方側の端縁部に取付けられた第３固定枠Ｆｃは、天井壁パネルＰ1 の場合と同様に、野縁当接板部１９が、対応する野縁５の底面部にほぼ当接した状態となる。この部分においても、各取付ねじ７を締め込む必要がないため、作業工数を更に少なくすることができる。
【００３６】
続いて、天井壁パネルＰ1 に対して縦方向に隣接する天井壁パネルＰ4 が取付けられる。天井壁パネルＰ4 は、第２固定枠Ｆｂの被支持板部２３が、天井壁パネルＰ1 の第１固定枠Ｆａ（隣接予定辺部）の支持空間部Ｖに入り込み、第１固定枠Ｆａの支持板部１１に載置されて支持される。また、奥側の２辺部に取付けられた各第１固定枠Ｆａが、対応する野縁５にねじ止めされて固定され、隣接予定辺部となる。そして、天井壁パネルＰ4 に対して横方向に隣接して２枚の天井壁パネルＰ5 が取付けられ、以下、同様にして各天井壁パネルＰ6 〜Ｐ8 が取付けられる。
【００３７】
最後に、図１の図面視における右上のコーナー部に、天井壁パネルＰ9 が取付けられる（第３施工工程）。図１４に示されるように、天井壁パネルＰ9 の被支持板部２３は、第３固定枠Ｆｃに取付けられた板ばね２０の屈曲部２０ａを壁Ｗに押し付けて弾性変形させた状態で、隣接する各天井壁パネルＰ6,Ｐ8 の支持板部１１にスライド挿入される。そして、横方向で隣接する天井壁パネルＰ8 と、縦方向で隣接する天井壁パネルＰ6 とは、いずれも、第２固定枠Ｆｂの被支持板部２３が、対応する第１固定枠Ｆａの支持板部１１に載置されることによって支持される。しかも、天井壁パネルＰ9 の各第３固定枠Ｆｃと、それらと対向する壁Ｗの部分との間には板ばね２０が介装されているため、振動等によって天井壁パネルＰ9 がスライドすることが防止される（図２参照）。
【００３８】
上記した各天井壁パネルＰを取り外す場合には、最後に取付けられた天井壁パネルＰ9 を最初に取り外し、取付けた順と逆の順で各天井壁パネルＰを取り外す。
【実施例２】
【００３９】
前述したように、本実施例の天井壁パネルＰは、最後に取付けられた天井壁パネルＰ9 を最初に取り外し、取付けた順と逆の順で各天井壁パネルＰを取り外す。しかし、点検等のために、任意の天井壁パネルＰに連結手段Ｄを設けることにより、該天井壁パネルＰを開口可能に取付けることもできる。図１５を参照しながら、天井壁パネルＰ2 に取付けられた連結手段Ｄについて説明する。この実施例の場合、天井壁パネルＰ2 の第１固定枠Ｆａの部分では、前記第１固定枠Ｆａと天井板６とは分離されていて、両者はヒンジ２５によって連結されている。第２固定枠Ｆｂの部分でも同様にして、前記第２固定枠Ｆｂと天井板６とは分離されていて、両者は連結手段によって連結されている。即ち、天井板６の端部には、連結金具２６が高さ方向に沿って取付けられていて、該連結金具２６における天井板６からの突出部分には、弾装された圧縮ばね２７を介して連結板２８が装着されている。前記連結金具２６の下端部は、天井板６の下面に突出されていて、作業者が前記連結金具２６を回動させることにより、連結板２８が連れ回りされる。前記連結板２８が、第２固定枠Ｆｂの起立板部２２の内側面に固着された断面略Ｌ字状のストッパ板２９に係止されることにより、天井壁部Ｒにおける天井壁パネルＰ2 の取付位置が閉塞される。
【００４０】
天井壁パネルＰ2 の取付位置を開口させる場合、連結金具２６を回動させ、連結板２８とストッパ板２９との係止状態を解除させる。前記天井壁パネルＰ2 の天井板６は、ヒンジ２５を回動支点として下方に回動され、天井壁パネルＰ2 の取付位置が開口される。また、逆の操作を行うことにより、前記取付位置が閉塞される。
【実施例３】
【００４１】
上記した各実施例の天井壁パネルＰは、天井板６が長方形の場合である。しかし、前記天井板６の平面形状は長方形以外のもの、例えば、三角形、正方形等であっても構わない。これにより、各天井壁パネルＰを、各種形状の天井壁部Ｒに取付けることができる。また、天井板６の大きさ、材質、形状、表面仕上げ、或いは、各固定枠Ｆa,Ｆb,Ｆc の高さ、及び目地幅Ｌ1 等が同一でなくても構わない。例えば、図１６に示されるように、天井壁パネルＰ1,Ｐ2,Ｐ6,Ｐ7 における天井板６が、他の天井壁パネルＰ3,Ｐ4,Ｐ5 における天井板６の２倍の大きさのものであっても構わない。これにより、天井壁パネルＰの枚数を少なくできると共に、天井壁部Ｒの外観形状に変化をもたらすことができる。
【実施例４】
【００４２】
また、図１７に示されるように、天井壁パネルＰ1,Ｐ3 における固定枠Ｆa,Ｆc の各起立板部９，１８の高さを、天井壁パネルＰ2 の固定枠Ｆa,Ｆb の各起立板部９，２２の高さよりも高くすると共に、天井壁パネルＰ1,Ｐ3 における各天井板６を側方に張り出させてもよい。これにより、各天井板の張出し部分には、天井壁部Ｒの美観を損なうことなく、蛍光灯３１等の照明器具を設置するために好適な空間部が形成される。
【００４３】
上記した各実施例は、天井壁部Ｒに各天井壁パネルＰを取付ける場合である。しかし、各天井壁パネルＰを側壁パネルとして使用し、それらを建物の側壁部に取付けることもできる。この場合、最後の側壁パネルは、取付位置を保持するために最下部に配置させることが望ましい。
【図面の簡単な説明】
【００４４】
【図１】本発明に係る各天井壁パネルＰ1 〜Ｐ9 が取付けられた天井壁部Ｒの平面図である。
【図２】図１のＸ−Ｘ線断面図である。
【図３】天井壁パネルＰ1,Ｐ2 における隣接部の拡大図である。
【図４】天井壁パネルＰ1 の斜視図である。
【図５】同じく平面図である。
【図６】天井板６と第１及び第３の各固定枠Ｆa,Ｆc とを分離させた状態の斜視図である。
【図７】天井壁パネルＰ2 の斜視図である。
【図８】天井壁パネルＰ3 の斜視図である。
【図９】（イ）〜（ハ）は、天井壁パネルＰ4 〜Ｐ6 の斜視図である。
【図１０】（イ）〜（ハ）は、天井壁パネルＰ7 〜Ｐ9 の斜視図である。
【図１１】野縁５に取付けられた天井壁パネルＰ1 に隣接して、天井壁パネルＰ2 をスライド挿入可能に配置させる状態の作用説明図である。
【図１２】図１１の状態の平面図である。
【図１３】天井壁パネルＰ1 にスライド挿入された天井壁パネルＰ2 の第２固定枠Ｆｂを、野縁５にねじ止めする状態の作用説明図である。
【図１４】天井壁パネルＰ2 に天井壁パネルＰ3 をスライド挿入させる状態の作用説明図である。
【図１５】開口手段が設けられた天井壁パネルＰ2 の正面断面図である。
【図１６】大きさの異なる各天井壁パネルＰ1 〜Ｐ7 が取付けられた天井壁部Ｒの平面図である。
【図１７】天井板６を張出し部分に蛍光灯３１を設置した天井壁パネルＰ1,Ｐ3 の正面断面図である。
【図１８】従来の天井壁パネルＰ’の断面図である。
【符号の説明】
【００４５】
Ｄ：連結手段
Ｆa,Ｆb,Ｆc ：固定枠
Ｐ，Ｐ0 〜Ｐ9 ：天井壁パネル
Ｒ：天井壁部（壁部）
５：野縁（壁下地材）
６：天井板（壁面板）
７：取付ねじ（固定具）
１１：支持板部（支持部）
１４：ねじ棒
１５：六角ナット（ナット部材）
２０：板ばね（スライド防止部材）
２３：被支持板部（被支持部）
２４：係止片部（被支持部の先端部）
２５：ヒンジ
【図１】
2005256397.tif 000003
【図２】
2005256397.tif 000004
【図３】
2005256397.tif 000005
【図４】
2005256397.tif 000006
【図５】
2005256397.tif 000007
【図６】
2005256397.tif 000008
【図７】
2005256397.tif 000009
【図８】
2005256397.tif 000010
【図９】
2005256397.tif 000011
【図１０】
2005256397.tif 000012
【図１１】
2005256397.tif 000013
【図１２】
2005256397.tif 000014
【図１３】
2005256397.tif 000015
【図１４】
2005256397.tif 000016
【図１５】
2005256397.tif 000017
【図１６】
2005256397.tif 000018
【図１７】
2005256397.tif 000019
【図１８】
2005256397.tif 000020